(57)【要約】      （修正有）【課題】心臓部位保護を強調した軽量防具であり、着脱が自由で、同時に競技中に脱落することを防ぐ。【解決手段】衝撃吸収用の器具は中空の椀状の形状を成し、外側は堅く、身体に接する内側は柔らかく造られ、ユニフォームの裏側左胸の位置にポケットを設け、緩衝具を納め、運動時に脱落しないようにファスナー等で蓋が出来るようにする。【選択図】図１
0003138798.tif 000002
【実用新案登録請求の範囲】
【請求項１】
野球用具の一つで、野手が被打球から心臓を保護するための緩衝具。着脱の自由性と運動能力を損なわないための配慮をしつつ、野手が被打球を心臓部位に受けた時の衝撃を和らげ心臓を保護することを目的とする。
【請求項２】
上記の緩衝具の取り付け方法として（１）ユニフォームの裏側左胸の位置又は（２）アンダーシャツの左胸の位置にポケットを設け、緩衝具が脱落しないように各々ファスナー又はマジックテープで蓋をする。更にはポケットそのものをマジックテープなどで取り外しが出来るようにすることも考えられる。
【考案の詳細な説明】
【技術分野】
【０００１】  本考案は、野球で守備に着いた野手が、直接に打球を受けるか、又はイレギュラーバウンドして受けるかして、心臓部（胸部左胸）に打球を受けた場合の心臓へのショックを和らげるための（１）緩衝具の開発と、（２）運動性を保つための取り付け方法の考案である。
【背景技術】
【０００２】  直接に打球を受けるか、又はイレギュラーバウンドして受けるかして、心臓部に打球を受けた野手が心臓発作を起こした事故を背景として、心臓への被打球によるショックを和らげるための配慮が要求される。
【考案の開示】
【考案が解決しようとする課題】
【０００３】  守備側にある野手の内、打者に一番近いのは投手であるが、投球直後の姿勢で直接打球を胸に受けた場合の心臓に与える負荷を少しでも和らげる必要がある。
然し運動能力を損なっては、野球そのものが成り立たないので、その点の工夫が要求される。更に内野手においては、グランドの状況からイレギュラーバウンドした打球が胸に当ることがあり、その際にも心臓に与える負荷を少しでも和らげる必要がある。これらの問題は野球技術とは無関係であり、とくに少年野球においては配慮をしてやる必要が充分にある。
【課題を解決するための手段】
【０００４】  野球という運動競技の中で、安全性と運動機能とを両立させるための工夫が要求される。例えば全員が捕手のプロテクターの様な防具をつければ安全かも知れないが動作の機敏さが奪われ、それでは野球競技が成り立たない。そのために本考案は心臓部位保護を強調した軽量防具の開発と、着脱自由な取り付け方法の開発を行い、同時に競技中に脱落することを防ぐ工夫も行った。
【考案の効果】
【０００５】  従来、捕手に対する防具は考案されたが、野手については単にファッション性と運動機能性の追及のみで、この種の安全性には配慮が欠けていたと思われる。
野球人口の増加、少年野球隆盛の昨今、不慮の事故対策として本考案のような対処は決して過剰反応ではなく、むしろ遅きに失したと言わねばならない。
【考案を実施するための最良の形態】
【０００６】  表面をポリウレタン樹脂加工で覆い、その下にポリウレタン柔軟材を用いた二重構造で、底の浅いお椀を伏せたような中空で中心部に小穴をあけた円盤型。それによって、軽量化と装着時の安定性、中心部への衝撃を側部に分散させ、衝撃の緩和に役立たせる。
【実施例】
【０００７】  以下、添付図面に従って一実施例を説明する。――【０００８】  図４のユニフォーム又はアンダーシャツのポケット状の中に図１の緩衝具を納めてファスナー又はマジックテープで脱落しないように蓋をする。【０００９】  図１の緩衝具は浅いお椀状になっていて、安定性があり、緩衝具の表面はやや堅く造られているが内側は柔らかく、被打球からのショックを和らげる。【００１０】  緩衝具の中心には穴を開けており、中心部への衝撃を外側に分散する効果があると同時に全体の重量を軽量化し、運動機能を妨げない。
【図面の簡単な説明】
【００１１】
【図１】緩衝具の全体図
【図２】上記緩衝具を上から見た平面図
【図３】上記緩衝具を中心線で切断した断面図
【図４】上記緩衝具を取り付けるユニフォーム又はアンダーシャツの取り付け方法を示す取り付け位置
【符号の説明】
【００１２】１  緩衝具の全体図の表面で、形状は底の浅いお椀型、表面はやや堅めに造られている。
２  緩衝具の中心部に小穴を開けて、打撃の力を外側に分散させる。
３  緩衝具表面を覆うやや堅めの材質
４  緩衝具の内側の柔らかい材質
５  ユニフォームの内側又はアンダーシャツの外側に設けられたポケット状の緩衝具が納まる取り付け袋
６  緩衝具が脱落しないようにファスナー又はマジックテープで蓋をする
【図１】
0003138798.tif 000003
【図２】
0003138798.tif 000004
【図３】
0003138798.tif 000005
【図４】
0003138798.tif 000006
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
本考案は野球用具の一つで、野手が被打球から心臓直撃を保護するための衝撃吸収具として、図１に示す如く中空の椀状の形状を成し、心臓正面に飛来した打球の衝撃を放射状に分散して吸収することができ、それによって心臓への打撃を減らし、なおかつ着脱自由、運動機能を損なわない心臓保護用衝撃吸収のための緩衝具である。
【請求項２】
本考案は心臓への被打球の衝撃を和らげることを特徴とする請求項１の緩衝具の装着方法についての考案として、着脱自由、運動機能を損なわないために緩衝具の取り付け方法を特定するもので、図４に示すが如く（１）ユニフォームの裏側左胸の位置又は（２）アンダーシャツの左胸の位置にポケットを設け、その中に緩衝具を納め、運動時に脱落しないようにファスナー又は「マジックテープ（登録商標）」で蓋をする。
【手続補正２】
【補正対象書類名】明細書
【補正対象項目名】０００８
【補正方法】変更
【補正の内容】
【０００８】図４のユニフォーム又はアンダーシャツのポケット状の中に図１の緩衝具を納めてファスナー又は「マジックテープ（登録商標）」で脱落しないように蓋をする。
【手続補正３】
【補正対象書類名】明細書
【補正対象項目名】００１２
【補正方法】変更
【補正の内容】
【００１２】１  緩衝具の全体図の表面で、形状は底の浅いお椀型、表面はやや堅めに造られている。
２  緩衝具の中心部に小穴を開けて、打撃の力を外側に分散させる。
３  緩衝具表面を覆うやや堅めの材質
４  緩衝具の内側の柔らかい材質
５  ユニフォームの内側又はアンダーシャツの外側に設けられたポケット状の緩衝具が納まる取り付け袋
６  緩衝具が脱落しないようにファスナー又は「マジックテープ（登録商標）」で蓋をする
【手続補正書】
【提出日】平成19年10月11日(2007.10.11)
【手続補正１】
【補正対象書類名】実用新案登録請求の範囲
【補正対象項目名】全文
【補正方法】変更
【補正の内容】
【実用新案登録請求の範囲】
【請求項１】
本考案は野球用具の一つで、野手が被打球から心臓直撃を保護するための衝撃吸収具として、
「本考案が工夫するところは、
（１）衝撃吸収用の器具は中空の椀状の形状を成し、
（２）心臓正面に飛来した打球の衝撃を放射状に分散して吸収することができるので、心臓への衝撃を減らし、
（３）外側は堅く、身体に接する内側は柔らかく造られているので身体への負担は軽く、
（４）なおかつ着脱自由、運動機能を損なわないこと、
以上からなる点を特徴とする心臓保護用衝撃吸収のための緩衝具。」
【請求項２】
本考案は心臓への被打球の衝撃を和らげることを特徴とする請求項１の緩衝具とそれを装着するユニフォームとの組み合わせの形状について、「本考案が工夫するところは、
（１）着脱が自由であり、運動機能を損なうことなく、
（２）競技中の脱落の防止をも考慮し、
（３）ユニフォームの裏側左胸の位置にポケットを設け、その中に請求項１の緩衝具を納め、
（４）運動時に脱落しないようにファスナー等で蓋が出来るように、
以上からなる点を特徴とする請求項１に記載の緩衝具を取り付けたユニフォーム。」